(57)【要約】【課題】  吸気通路に還流する排気ガスの減量又は遮断過渡時の排気エミッションの悪化を抑制することができ、また大気圧が平地よりも低い高地や機関温度が低い場合に新気量の不足を補い加速レスポンスの悪化を抑えることが可能な内燃機関用過給システムを提供する。【解決手段】  本発明の内燃機関用過給システムは、吸気管２及び排気管３と、排気管３内の排気ガスの一部を吸気管２に還流させるＥＧＲシステム４と、吸気管２に還流する排気ガスを減量するようにＥＧＲシステム４を制御する排気還流制御手段８と、を備えるエンジン１に適用される。そして、エンジン１に対して過給を行うターボ過給機１０と、ターボ過給機１０のコンプレッサ１０ａの上流又は下流の吸気管２に設けられ、ターボ過給機１０による過給をアシストする電動コンプレッサ１１と、吸気管２に還流する排気ガスの減量の制御に同期してアシストが行われるように電動コンプレッサ１１の作動状態を制御する電動コンプレッサ制御手段８とを具備する。【選択図】      図１
2005220891.tif 000002
【特許請求の範囲】
【請求項１】
吸気通路及び排気通路と、前記排気通路内の排気ガスの一部を前記吸気通路に還流させる排気還流手段と、前記吸気通路に還流する排気ガスを減量又は遮断するように前記排気還流手段を制御する排気還流制御手段と、を備えた内燃機関に適用される内燃機関用過給システムであって、
前記内燃機関の排気エネルギーを利用して該内燃機関に対して過給するターボ過給機と、前記ターボ過給機のコンプレッサの上流又は下流の前記吸気通路に設けられ、前記ターボ過給機による過給をアシストする電動コンプレッサと、前記吸気通路に還流する排気ガスの減量又は遮断の制御に同期して前記アシストが行われるように前記電動コンプレッサの作動状態を制御する電動コンプレッサ制御手段と、を具備することを特徴とする内燃機関用過給システム。
【請求項２】
前記内燃機関は、予混合圧縮着火燃焼と通常燃焼とを運転状態に応じて切替可能であるとともに、前記予混合圧縮着火燃焼から前記通常燃焼への切替時に、前記吸気通路に還流する排気ガスの減量の制御が行われるものであることを特徴とする請求項１に記載の内燃機関用過給システム。
【請求項３】
前記電動コンプレッサ制御手段は、前記電動コンプレッサによるアシスト量が可変制御されるように該電動コンプレッサを制御することを特徴とする請求項１又は２に記載の内燃機関用過給システム。
【請求項４】
吸気通路及び排気通路を備えた内燃機関に適用される内燃機関用過給システムであって、
前記内燃機関の排気エネルギーを利用して該内燃機関に対して過給するターボ過給機と、前記ターボ過給機のコンプレッサの上流又は下流の前記吸気通路に設けられ、前記ターボ過給機による過給をアシストする電動コンプレッサと、前記電動コンプレッサの作動状態を制御する電動コンプレッサ制御手段と、前記電動コンプレッサを作動すべき領域であって、大気圧が低いほどその領域が拡大するように設定されたアシスト領域への進入の有無を判定するアシスト領域判定手段と、を具備し、
前記電動コンプレッサ制御手段は、前記アシスト領域判定手段により前記アシスト領域へ進入したと判定された場合には、前記アシストが行われるように前記電動コンプレッサを制御することを特徴とする内燃機関用過給システム。
【請求項５】
前記電動コンプレッサ制御手段は、前記内燃機関の負荷が高い場合は低い場合に比べてアシスト量が減少するように補正することを特徴とする請求項４に記載の内燃機関用過給システム。
【請求項６】
前記内燃機関は、前記排気通路内の排気ガスの一部を前記吸気通路に還流させる排気還流手段と、前記内燃機関の運転状態に応じて定められた排気還流率となるように前記排気還流手段を制御する排気還流制御手段と、を更に備え、
前記排気還流制御手段は、平地よりも大気圧が低い場合であって前記アシストにより該平地と同等の新気量が確保できる場合には、前記吸気通路に還流する排気ガスを減量することなく前記排気還流手段を制御することを特徴とする請求項４又は５に記載の内燃機関用過給システム。
【請求項７】
前記内燃機関は、前記排気通路内の排気ガスの一部を前記吸気通路に還流させる排気還流手段と、前記内燃機関の運転状態に応じて定められた排気還流率となるように前記排気還流手段を制御する排気還流制御手段と、を更に備え、
前記排気還流制御手段は、平地よりも大気圧が低い場合であって前記アシストにより該平地と同等の新気量が確保できない場合には、前記吸気通路に還流する排気ガスを減量するとともに、その減量割合を前記アシストによる新気量の増量分に応じて減じることを特徴とする請求項４〜６のいずれか一項に記載の内燃機関用過給システム。
【請求項８】
前記電動コンプレッサ制御手段は、機関冷却水温度が低い場合は高い場合に比べてアシスト量が増加するように補正したことを特徴とする請求項１〜７のいずれか一項に記載の内燃機関用過給システム。
【請求項９】
前記電動コンプレッサ制御手段は、吸気温度が低い場合は高い場合に比べてアシスト量が増加するように補正したことを特徴とする請求項１〜７のいずれか一項に記載の内燃機関用過給システム。
【請求項１０】
吸気通路及び排気通路を備えた内燃機関に適用される内燃機関用過給システムであって、
前記内燃機関の排気エネルギーを利用して該内燃機関に対して過給するターボ過給機と、前記ターボ過給機のコンプレッサの上流又は下流の前記吸気通路に設けられ、前記ターボ過給機による過給をアシストする電動コンプレッサと、前記電動コンプレッサの作動状態を制御する電動コンプレッサ制御手段と、を具備し、
前記電動コンプレッサ制御手段は、機関温度が所定温度よりも低い場合に前記アシストが行われるように前記電動コンプレッサを制御するとともに、前記機関温度が低いほどアシスト量が増加するように前記電動コンプレッサを制御することを特徴とする内燃機関用過給システム。
【発明の詳細な説明】
【技術分野】
【０００１】
本発明は内燃機関用過給システムに関する。
【背景技術】
【０００２】
従来から、予混合圧縮着火燃焼と通常燃焼とを切替可能な内燃機関が知られている。予混合圧縮着火燃焼は、燃料噴射を吸気行程から圧縮行程の中期に行うように進角させて気筒内に予め均一な混合気を生成し、この混合気を圧縮行程の終期に着火させる燃焼態様である。これは、窒素酸化物（ＮＯｘ）及び煤の発生を抑えることができる点で通常燃焼よりも優れている。しかし、内燃機関が高負荷になると圧縮上死点前に着火するいわゆる過早着火が生じるため、予混合圧縮着火燃焼の実行可能領域は低負荷側の狭い範囲に限定される。従って、それ以外の領域では予混合圧縮着火燃焼から通常燃焼へ適宜に切り替えられている。予混合圧縮着火燃焼の実行可能領域を広げる試みとして、排気ガスの還流量を通常燃焼時よりも大幅に増量して排気還流率を高めることが知られている。
【０００３】
この種の内燃機関に適用される過給システムとして、予混合圧縮着火燃焼時にはターボ過給機のタービン上流からコンプレッサ上流の吸気通路に排気ガスを還流しつつターボ過給機にて過給する一方、通常燃焼時には、排気ガスを還流する位置をコンプレッサの下流に変更するとともに、排気ガスの還流量を予混合圧縮着火時よりも減量する過給システムがある（例えば、特許文献１参照）。その他本発明に関連する先行技術文献として特許文献２〜５がある。
【特許文献１】特開２００３−２８６９０９号公報
【特許文献２】特開２００３−２８６８７６号公報
【特許文献３】特開２００３−２８６８８０号公報
【特許文献４】特開平６−２８８２４５号公報
【特許文献５】特開平６−２８８２４６号公報
【発明の開示】
【発明が解決しようとする課題】
【０００４】
上記特許文献１に開示された過給システムは、予混合圧縮着火燃焼から通常燃焼へ切り替える際に、排気還流弁の開度を絞ることにより排気ガスの還流量を減量しているため、この減量過渡時に応答遅れ（減量遅れ）が生じるおそれがある。この場合、通常燃焼に対して一時的に高い排気還流率の状態となり、気筒内の酸素が不足してスモーク（黒煙）が発生し排気エミッションが悪化するおそれがある。内燃機関の運転状態の変更により排気ガスの還流を遮断する場合も同様である。
【０００５】
また、大気圧が平地よりも低い高地においては、いわゆるパーシャル加速時等でも内燃機関に供給される新気量が不足する。新気量が不足すると、失火により加速レスポンスが悪化するばかりでなく、スモークや白煙の発生により排気エミッションが悪化するおそれがある。更に、気筒の内壁温度や気筒内の温度が低い場合にも、失火により加速レスポンスが悪化したり、未燃炭化水素による白煙の排出により排気エミッションが悪化するおそれがある。
【０００６】
そこで、本発明は、吸気通路に還流する排気ガスの減量又は遮断過渡時の排気エミッションの悪化を抑制することができ、また大気圧が平地よりも低い高地や機関温度が低い場合に新気量の不足を補い加速レスポンスの悪化を抑えることが可能な内燃機関用過給システムを提供することを目的とする。
【課題を解決するための手段】
【０００７】
本発明の第１の内燃機関用過給システムは、吸気通路及び排気通路と、前記排気通路内の排気ガスの一部を前記吸気通路に還流させる排気還流手段と、前記吸気通路に還流する排気ガスを減量するように前記排気還流手段を制御する排気還流制御手段と、を備えた内燃機関に適用される内燃機関用過給システムであって、前記内燃機関の排気エネルギーを利用して該内燃機関に対して過給するターボ過給機と、前記ターボ過給機のコンプレッサの上流又は下流の前記吸気通路に設けられ、前記ターボ過給機による過給をアシストする電動コンプレッサと、前記吸気通路に還流する排気ガスの減量の制御に同期して前記アシストが行われるように前記電動コンプレッサの作動状態を制御する電動コンプレッサ制御手段と、を具備することにより上述した課題を解決する（請求項１）。
【０００８】
排気ガスを吸気通路に還流させる内燃機関では、その運転状態に応じて吸気通路に還流する排気ガスを減量又は遮断する制御が行われる。ただ、これらの制御の応答性には一定の限界があるため、減量又は遮断の過渡時に応答遅れが発生し、制御目量値に対して一時的に高い排気還流率の状態となる。この場合は、気筒内の酸素が不足してスモーク（黒煙）が発生し排気エミッションが悪化するおそれがある。この発明によれば、過給アシストを排気ガスの減量又は遮断の制御に同期させているので、一時的な応答遅れが発生してもその間は過給アシストによって新気量が増量するため、結果として、高い排気還流率の状態が回避されスモークの発生を抑えることができる。
【０００９】
また、本発明の第１の内燃機関用過給システムにおいて、前記内燃機関は、予混合圧縮着火燃焼と通常燃焼とを運転状態に応じて切替可能であるとともに、前記予混合圧縮着火燃焼から前記通常燃焼への切替時に、前記吸気通路に還流する排気ガスの減量の制御が行われるものであってもよい（請求項２）。予混合圧縮着火燃焼時における過早着火等の問題を解決するため、通常燃焼時よりも排気還流量を大幅に増量することが行われている。このため、予混合圧縮着火燃焼から通常燃焼への切替時に吸気通路へ還流する排気ガスの減量制御が行われる。この態様によれば、過給アシストをこの切替過渡時に同期させているので、一時的な減量遅れが発生してもその間は過給アシストによって新気量が増量するため、結果として、高い排気還流率の状態が回避されスモークの発生を抑えることができる。
【００１０】
また、本発明の第１の内燃機関用過給システムにおいて、前記電動コンプレッサ制御手段は、前記電動コンプレッサによるアシスト量が可変制御されるように該電動コンプレッサを制御してもよい（請求項３）この場合は、実際の排気還流率をより正確に目標となる排気還流率に近づけることができる。
【００１１】
本発明の第２の内燃機関用過給システムは、吸気通路及び排気通路を備えた内燃機関に適用される内燃機関用過給システムであって、前記内燃機関の排気エネルギーを利用して該内燃機関に対して過給するターボ過給機と、前記ターボ過給機のコンプレッサの上流又は下流の前記吸気通路に設けられ、前記ターボ過給機による過給をアシストする電動コンプレッサと、前記電動コンプレッサの作動状態を制御する電動コンプレッサ制御手段と、前記電動コンプレッサを作動すべき領域であって、大気圧が低いほどその領域が拡大するように設定されたアシスト領域への進入の有無を判定するアシスト領域判定手段と、を具備し、前記電動コンプレッサ制御手段は、前記アシスト領域判定手段により前記アシスト領域へ進入したと判定された場合には、前記アシストが行われるように前記電動コンプレッサを制御することにより上述した課題を解決する（請求項４）。
【００１２】
内燃機関を高地にて運転する場合には、高地は平地よりも大気圧の低いため、いわゆるパーシャル加速時等でも新気量が不足する。新気量が不足すると、失火等により加速レスポンスが悪化するばかりでなく、未燃炭化水素より白煙が発生し排気エミッションが悪化する。この発明によれば、大気圧が低いほど過給アシストを行うべき領域を拡大し、高地において不足する新気量を過給アシストにより補うことができるので、失火或いは白煙の発生を抑制でき、加速レスポンスの悪化及び排気エミッションの悪化を抑えることができる。
【００１３】
本発明の第２の内燃機関用過給システムにおいて、前記電動コンプレッサ制御手段は、前記内燃機関の負荷が高い場合は低い場合に比べてアシスト量が減少するように補正してもよい（請求項５）。内燃機関の負荷が高いほど失火或いは白煙が発生し難くく、少ないアシスト量で十分なためである。これにより、無駄なアシストが回避される。
【００１４】
また、本発明の第２の内燃機関用過給システムにおいて、前記内燃機関は、前記排気通路内の排気ガスの一部を前記吸気通路に還流させる排気還流手段と、前記内燃機関の運転状態に応じて定められた排気還流率となるように前記排気還流手段を制御する排気還流制御手段と、を更に備え、前記排気還流制御手段は、平地よりも大気圧が低い場合であって前記アシストにより該平地と同等の新気量が確保できる場合には、前記吸気通路に還流する排気ガスを減量することなく前記排気還流手段を制御してもよいし（請求項６）、また平地よりも大気圧が低い場合であって前記アシストにより該平地と同等の新気量が確保できない場合には、前記吸気通路に還流する排気ガスを減量するとともに、その減量割合を前記アシストによる新気量の増量分に応じて減じてもよい（請求項７）。これらの態様によれば、過給アシストによって新気量の不足を賄える場合には、吸気通路に還流する排気ガスを減量しないのでＮＯｘの排出レベルが大幅に悪化することがない。そして、仮に過給アシストによって新気量Ｇａの不足を賄えない場合でも、吸気通路に還流する排気ガスの減量を抑えることができるので、ＮＯｘの排出レベルの悪化を可能な限り抑制することができる。
【００１５】
また、本発明の第１又は第２の内燃機関用過給システムにおいて、前記電動コンプレッサ制御手段は、機関冷却水温度が低い場合は高い場合に比べてアシスト量が増加するように補正してもよいし（請求項８）、また、吸気温度が低い場合は高い場合に比べてアシスト量が増加するように補正してもよい（請求項９）。このようにアシスト量を補正すれば、過給アシストの実施の際に気筒の内壁温度の低下又は気筒内の温度の低下が考慮される。従って、気筒の内壁温度又は気筒内の温度が低くなるにつれ新気量が増加して実圧縮比が増えるので、失火及び白煙の発生を抑えることができる。
【００１６】
また、本発明の第３の内燃機関用過給システムは、吸気通路及び排気通路を備えた内燃機関に適用される内燃機関用過給システムであって、前記内燃機関の排気エネルギーを利用して該内燃機関に対して過給するターボ過給機と、前記ターボ過給機のコンプレッサの上流又は下流の前記吸気通路に設けられ、前記ターボ過給機による過給をアシストする電動コンプレッサと、前記電動コンプレッサの作動状態を制御する電動コンプレッサ制御手段と、を具備し、前記電動コンプレッサ制御手段は、機関温度が所定温度よりも低い場合に前記アシストが行われるように前記電動コンプレッサを制御するとともに、前記機関温度が低いほどアシスト量が増加するように前記電動コンプレッサを制御することにより上述した課題を解決する（請求項１０）。
【００１７】
この発明によれば、機関温度が低いほどアシスト量が増加して消費電力が大きくなるので、内燃機関に設けられたオルタネータの発電量が増え、内燃機関のフリクションが増加する。この結果、燃料噴射量が増加することになるので暖機性が向上する。これにより、未燃炭化水素による白煙の排出、燃費悪化、更に失火による加速レスポンスの低下を抑えることができる。
【発明の効果】
【００１８】
本発明によれば、吸気通路に還流する排気ガスの減量又は遮断過渡時の排気エミッションの悪化を抑制することができ、また大気圧が平地よりも低い高地や機関温度が低い場合に新気量の不足を補い加速レスポンスの悪化を抑えることが可能な内燃機関用過給システムを提供することができる。
【発明を実施するための最良の形態】
【００１９】
（第１実施形態）
本発明の第１実施形態に係る内燃機関用過給システムを図１〜図６を参照しながら説明する。図１は本実施形態の全体構成を示す概略図である。本過給システムは内燃機関としてのディーゼルエンジン１（以下エンジンと称することがある）に適用される。エンジン１は吸気通路としての吸気管２及び排気通路としての排気管３を含んでいる。また、このエンジン１は予混合圧縮着火燃焼と通常燃焼とをエンジン１の運転状態に応じて切替可能である。
【００２０】
予混合圧縮着火燃焼（以下、ＨＣＣＩ又はＨＣＣＩ燃焼と称することがある。）は、周知のように、燃料噴射を吸気行程から圧縮行程の中期に行うように進角させて気筒内に予め均一な混合気を生成し、この混合気を圧縮行程の終期に着火させる燃焼態様である。これにより、圧縮上死点付近で燃料を噴射して拡散燃焼させる通常燃焼と比較して気筒内の混合気の濃度が均一であるので、窒素酸化物（ＮＯｘ）及び煤の発生を抑えることができる。ただ、この予混合圧縮着火燃焼は、内燃機関が高負荷となって燃料噴射量が増加すると圧縮上死点前の時期に着火（過早着火）する問題が生じる。このため、内燃機関の負荷が低い限られた運転領域で行われる。この領域を拡大する試みとして、排気ガスの一部を吸気通路へ還流させ、この排気ガスの還流量（ＥＧＲ量）を通常燃焼時よりも大幅に増量して排気還流率（ＥＧＲ率）を高めることが一般に行われている。なお、このＥＧＲ率は次式で定義される。
【００２１】
ＥＧＲ率＝排気ガス量／（新気量  ＋  排気ガス量）                      
【００２２】
本実施形態においては、図１に示したように、排気還流手段としてのＥＧＲ（Ｅｘｈａｕｓｔ  Ｇａｓ  Ｒｅｃｉｒｃｕｌａｔｉｏｎ：排気ガス再循環）システム４が採用されている。このＥＧＲシステム４は、排気還流通路５を備え、この排気還流通路５の途中に、還流される排気ガスを冷却するＥＧＲクーラ６及び排気ガスの還流量（ＥＧＲ量）を調整するＥＧＲ弁７をそれぞれ含む。排気還流通路５の入口側は排気管３に接続され、出口側は吸気管２に接続されている。これにより、排気ガスの一部を所定のＥＧＲ率となるように吸気管２に還流することができる。
【００２３】
図１に示したように、エンジン１の燃焼態様の制御及びＥＧＲシステム４の制御は、エンジンコントロールユニット（ＥＣＵ）８により行われている。ＥＣＵ８はマイクロプロセッサ、ＲＯＭ及びＲＡＭ等の周辺機器を備えたコンピュータユニットとして構成されている。ＥＣＵ８は、予めＲＯＭに格納され、機関回転数ＮＥと燃料噴射量Ｑに関連付けて燃焼態様を指定したマップを参照して燃焼状態を予混合圧縮着火燃焼と通常燃焼との間で切り換える。図２はそのマップの一例を模式的に示したものである。この図に示したように予混合圧縮着火燃焼を行う領域（ＨＣＣＩ領域）と通常燃焼を行う領域（通常燃焼領域）とが機関回転数ＮＥと燃料噴射量Ｑに関連付けてそれぞれ定められている。ＥＣＵ８は機関回転数ＮＥと燃料噴射量Ｑから燃焼態様を特定し、これに応じて燃料噴射の時期等の制御を行う。
【００２４】
また、ＥＣＵ８は各燃焼態様に応じたＥＧＲ率となるようにＥＧＲシステム４を制御する排気還流制御手段として機能する。本実施形態のエンジン１では、上述した過早着火の問題を抑制するため、予混合圧縮着火燃焼時のＥＧＲ率を通常燃焼時よりも高くなるように設定している。従って、予混合圧縮着火燃焼から通常燃焼への切替時（図２の矢印で示した加速過渡時等）には、ＥＣＵ８はＥＧＲ量を減量するようにＥＧＲ弁７の開度を制御する。
【００２５】
本実施形態に係る過給システムは、図１に示したように上記エンジン１に適用され、ターボ過給機１０と、電動コンプレッサ１１とを備えている。ターボ過給機１０は周知のように吸入した空気を圧縮するコンプレッサ１０ａとコンプレッサ１０ａを駆動させるためのタービン１０ｂとを有している。コンプレッサ１０ａは、吸気管２に設けられている。また、タービン１０ｂは排気管３に設けられている。ターボ過給機１０は、排気管３を流れる排気ガスによってタービン１０ｂを回転してコンプレッサ１０ａを駆動する。これにより、所望の過給圧を得ることができる。一方、電動コンプレッサ１１はターボ過給機１０の上流側の吸気管２に設けられている。電動コンプレッサ１１はその駆動装置として電気モータ１１ａを備えている。電気モータ１１ａは図示しない電源に接続されている。電気モータ１１ａを駆動することにより、電動コンプレッサ１１は作動し、吸気管２内の空気を圧縮することができる。
【００２６】
また、本過給システムにおいては、電動コンプレッサ１１を迂回するバイパス通路１２が設けられている。バイパス通路１２の途中には、バイパス通路１２への空気の流入及びその禁止を切り替える切替弁としてのバイパス弁１３が設けられている。バイパス弁１３は電動コンプレッサ１１が作動中の場合には基本的に閉弁され、バイパス通路１２への空気の流入が禁止される。従って、電動コンプレッサ１１の上流側の空気は実質的に全て電動コンプレッサ１１に導かれる。一方、電動コンプレッサ１１が非作動の場合には基本的に開弁され、バイパス通路１２へ空気が導かれる。バイパス弁１３はソレノイド等でリニアに駆動してもよいが、開弁及び閉弁を切り替えることができればよい。また、このバイパス弁１３として、電動コンプレッサ１１の下流の圧力と、バイパス通路１２の入口の圧力との圧力のバランスで駆動するシャッターバルブを設けてもよい。この場合はバイパス弁１３の制御が不要となるので、構造をシンプルにできる。また、バイパス弁１３の上流側の吸気管にはエンジン１へ流入する空気量を調整するスロットル弁１４が設けられている。このスロットル弁１４はその開度を全閉状態から全開状態までソレノイド等でリニアに駆動される。
【００２７】
また、上記ターボ過給機１０のコンプレッサ１０ａの下流側の吸気管２には、コンプレッサ１０ａにより圧縮された空気を冷却するためにインタークーラ１５が設けられている。これにより過給効率を高めることができる。さらに、上記と同様の理由から電動コンプレッサ１０とターボ過給機１０のコンプレッサ１０ａの間の吸気管２にインタークーラ１６が設けられている。このインタークーラ１６を設けることにより、更なる過給効率の向上を図ることができるが、常に設ける必要はない。また、電動コンプレッサ１１の上流側の吸気管２には吸入空気の異物を除去するエアクリーナ１７が設けられている。
【００２８】
なお、電気モータ１１ａは発熱するため冷却することが好ましい。この場合、空冷では冷え難くく電動コンプレッサ１１の作動時間が限定されるおそれがある。そこで、例えば、電気モータ１１ａの周囲を図示しないラジエターにより冷却水を循環させる冷却システムを採用してもよい。このラジエターはエンジン１に用いられるものと兼用してもよいが、エンジン１の冷却水は温度が高いので電動コンプレッサ１１のために別途用意したほうがなお好ましい。この場合の冷却水の温度は３０℃程度がよい。さらに、このラジエターをターボ過給機１０の冷却に用いることもできる。このように構成すれば、重大な問題となるコーキング対策として非常に有効である。
【００２９】
以上の構成により、電動コンプレッサ１１が作動中のときは、エアクリーナ１７を通過した吸入空気は、電動コンプレッサ１１にて圧縮された後、ターボ過給機１０のコンプレッサ１０ａに導かれて更に圧縮されて所望の過給圧にてエンジン１に導かれる。ターボ過給機１０は上述したように排気ガスのエネルギーを利用しているため、所望の過給圧が得られるまでにタイムラグを生じる（いわゆるターボラグ）。特に、低速走行時に急加速が要求された場合に顕著である。そこで、このターボラグを補償し、所望の過給圧が得られるまでターボ過給機１０をアシストすべく電動コンプレッサ１１により過給アシスト（以下、ＭＣアシストと称することがある。）が行われる。本実施形態では、これに加え、上述した燃焼態様の切替過渡時に同期させて電動コンプレッサ１１により過給アシストを行い、新気量Ｇａを増量させている。
【００３０】
上述したように、エンジン１は予混合圧縮着火燃焼から通常燃焼への切替時にＥＧＲ量を減量するようにＥＧＲ弁７を制御している。しかしこの制御応答性に一定の限界があるため、この切替過渡時にＥＧＲ量の応答遅れ（減量遅れ）が発生する。このため、図３に示したように、実際のＥＧＲ率（実ＥＧＲ率）が目標とすべきＥＧＲ率（目標ＥＧＲ率）と合致せず、通常燃焼に対して一時的に高いＥＧＲ率の状態となる。この場合、通常燃焼に必要な酸素が減少するので、スモーク（黒煙）が発生し排気エミッションが悪化する。そこで、本実施形態の過給システムは、図４に示したように、この切替過渡時に同期させて電動コンプレッサ１１を作動（ＯＮ）することにより過給アシストを実行している。これにより、この図に示したようにＥＧＲ量の応答遅れがあるものの過給アシストによって新気量Ｇａが増量するため、実ＥＧＲ率の応答遅れを解消することができスモークの発生を抑えることができる。
【００３１】
本過給システムのこのような制御は、エンジン１の運転状態を制御する上記ＥＣＵ８によって行われる。ＥＣＵ８は各種センサの入力情報に基づいて、電動コンプレッサ１１及びバイパス弁１３をそれぞれ制御する。
【００３２】
図１に示したように、本実施形態に係る過給システムは、アクセルの開度及びその変化量を検出するアクセル開度センサ２０、機関回転数を検知する回転数センサ２１、エンジン１の図示しない吸気マニホールド内に設けられ、吸気管２内の圧力（過給圧）を検出する過給圧センサ２２、吸気管２内に流入する空気の質量流量を検出するエアフロメータ２３、エアフロメータ２３に内蔵され、吸気管に流入する空気の圧力（大気圧）を検出する圧力センサ２３ａ、エアフロメータ２３に内蔵され、吸気管４に流入する空気の温度を検出する温度センサ２３ｂ、エンジン１の冷却水の温度を検出する水温センサ２４をそれぞれ備えている。これらの各種センサは、以下に説明する制御態様に応じて適宜に利用される。なお、これらの各種センサは検出対象となる物理量そのものを検出するセンサでも良いし、この物理量を推定するものでも良い。
【００３３】
図５は、本実施形態に係る過給システムの制御ルーチンの概要を示したフローチャートである。本制御ルーチンはＥＣＵ８のＲＯＭ等に格納されたプログラムに従って所定間隔で繰り返し実行される。本制御ルーチンをＥＣＵ８に実行させることにより、ＥＣＵ８は、電動コンプレッサ制御手段として機能する。
【００３４】
図５に示したように、ＥＣＵ８は、まずステップＳ１において、予混合圧縮着火燃焼から通常燃焼への切替の有無を判定する。否定判定された場合には以後の処理をスキップして今回のルーチンを終える。一方、この切替があると肯定された場合は、ＥＣＵ８はステップＳ２に処理を進め、電動コンプレッサ１１によるアシスト量を算出する。例えば、この切替後の実際の新気量（実新気量）と目標となる新気量（目標新気量）との差を算出し、この差とその時の機関回転数に応じてマップ等で予め設定しておいたアシスト量を算出する。この場合、実新気量及び機関回転数はエアフローメータ２３、回転数センサ２１（図１参照）から取得する。また、アシスト量の算出手法としては、切替後の実際の過給圧（実過給圧）と目標となる過給圧（目標過給圧）との差を算出し、その差とその時の機関回転数に応じてマップ等で予め設定しておいたアシスト量を算出してもよい。実過給圧及び機関回転数は過給圧センサ２２、回転数センサ２１（図１参照）から取得する。但し、電動コンプレッサ１１の作動状態の制御として、単純に作動、非作動を切り替える制御を採用する場合には、このアシスト量を特に算出しない。
【００３５】
次に、ＥＣＵ８はステップＳ３において、過給アシストの実行時間（アシスト時間）を算出する。例えば、領域（燃料噴射量Ｑと機関回転数ＮＥ）に応じたアシスト時間が設定されたマップを参照して、アシスト時間を算出することができる。また、ＥＧＲ量の減量遅れの時間を予め定めておいたマップ（ＥＧＲ切れ遅れ時間マップ）を参照することによりアシスト時間を算出してもよい。
【００３６】
そして、ＥＣＵ８は続くステップＳ４において、ステップＳ２及びＳ３により得たアシスト量及びアシスト時間に応じた過給アシストを実施する。即ち、ＥＣＵ８は、予混合圧縮着火燃焼から通常燃焼への切替に合わせ、電気モータ１１ａにステップＳ２で算出されたアシスト量に対応した電力が供給されるように電動コンプレッサ１１を制御するとともに、バイパス弁１３を閉じてバイパス通路１２への空気の流入を禁止する。そして所定時間後電力の供給を停止して電動コンプレッサ１１を非作動とするとともに、バイパス弁１３を開いてバイパス通路１２へ空気が流入するように制御して今回のルーチンを終了する。これにより、予混合圧縮着火燃焼から通常燃焼への切替時に同期して過給アシストを実行することができる。従って、この過給アシストにより新気量Ｇａが増量するため、実ＥＧＲ率の応答遅れを解消し、スモークの発生を抑えることができる。なお、図６に示したように、上記アシスト量をＥＧＲ量の応答遅れに応じて可変制御してもよい。このように制御すれば、実ＥＧＲ率をより正確に目標ＥＧＲ率に近づけることができるのでより好ましい。
【００３７】
なお、上記のステップＳ２〜Ｓ４においては、ステップＳ３において算出したアシスト時間に基づいて過給アシストの実行時間を予め決定していたが、例えば、次の（１）〜（４）のいずれかの手法により過給アシストの開始と終了を制御してもよい。即ち、（１）実際の空気量（実空気量）と目標となる空気量（目標空気量）との差が一定値以上になったら過給アシストを開始し、過給アシストの開始後この差が一定値未満になったら過給アシストを終了する。（２）実際の過給圧（実過給圧）と目標となる過給圧（目標過給圧）との差が一定値以上になったら過給アシストを開始し、過給アシストの開始後この差が一定値未満になったら過給アシストを終了する。（３）予混合圧縮着火燃焼から通常燃焼への切替に合わせて過給アシストを開始し、実過給圧と目標過給圧との差が一定値未満になったら過給アシストを終了する。（４）予混合圧縮着火燃焼から通常燃焼への切替に合わせて過給アシストを開始し、実空気量と目標空気量との差が一定値未満になったら過給アシストを終了する。
【００３８】
（第２実施形態）
次に、本発明の第２実施形態に係る内燃機関用過給システムについて説明する。本実施形態は、排気還流の実施領域から不実施領域への切替時に同期して過給アシスト行われるように電動コンプレッサを制御するものである。適用対象となる内燃機関は上記第１実施形態のエンジン１と同一である。従って、基本構成については図１が参照されることになる。エンジン１は、機関回転数ＮＥと燃料噴射量Ｑに関連付けて排気還流の実行領域を指定したマップを参照して排気還流の実行及びその停止を切り換えている。この制御は上記ＥＣＵ８により行われ、エンジン１の運転状態に応じて排気還流の実行及びその停止が切り替えられる。この切替時にＥＣＵ８は吸気管２に還流する排気ガスを遮断するようにＥＧＲシステム４を制御する排気還流制御手段として機能する。
【００３９】
図７は上記マップの一例を模式的に示したものである。この図に示したように排気還流を行う領域（ＥＧＲ領域）と排気還流を行わない領域（ＥＧＲカット領域）とが機関回転数ＮＥと燃料噴射量Ｑに関連付けてそれぞれ定められている。例えば、図７の矢印に示した運転状態の変更により排気還流の実行から停止へ切り替わる場合には、ＥＣＵ８は排気ガスの吸気管２への還流を遮断するようにＥＧＲ弁７の開度を全閉状態する。この制御も上述した予混合圧縮着火燃焼から通常燃焼への切り替えの場合と同様に、制御応答性に一定の限界があるため、この切替過渡時に応答遅れ（切り遅れ）が発生する。このため、図８に示したように、実ＥＧＲ率が目標ＥＧＲ率（この場合はゼロ）に合致しない。この場合は空燃比がいわゆるオーバーリッチ状態となって、スモークが発生するおそれがある。そこで、本実施形態の過給システムは、図９に示したように、電動コンプレッサ１１をこの切替過渡時に同期させて作動（ＯＮ）することにより過給アシストを実行している。これにより、この図に示したようにＥＧＲ量の応答遅れがあるものの、過給アシストによって新気量Ｇａが増量するため、実ＥＧＲ率の応答遅れを解消しスモークの発生を抑えることができる。しかも、このＥＧＲ量の応答遅れの対策として、加速レスポンスが悪化してしまう燃料の噴射制限を行う必要がないので、加速レスポンスの悪化を抑えることができる。
【００４０】
本実施形態の制御ルーチンは、図１０に示したように、上述した図５のステップＳ１に代えて、排気還流の実施から停止への切替（ＥＧＲカット）の有無を判定する処理（ステップＳ１０１）とした点を除き、第１実施形態と基本的に同一である。従って、ＥＣＵ８はステップＳ１０１で肯定判定されたときは、以後のステップＳ２〜ステップＳ４の処理を実行することにより過給アシストが行われる。また、図１１に示したように、上記アシスト量をＥＧＲ量の応答遅れに応じて可変制御してもよい。このように制御すれば、実ＥＧＲ率をより正確に目標ＥＧＲ率に近づけることができる。
【００４１】
（第３実施形態）
次に、本発明の第３実施形態に係る内燃機関用過給システムについて説明する。本実施形態の適用対象となる内燃機関は上記エンジン１である。従って基本構成については図１が参照される。エンジン１を高地にて運転する場合には、高地は平地よりも大気圧が低いため、いわゆるパーシャル加速時等でも新気量Ｇａが不足する。新気量がＧａが不足すると、失火等により加速レスポンスが悪化するばかりでなく、未燃炭化水素（ＨＣ）より白煙が発生し排気エミッションが悪化する。そこで、本実施形態は、大気圧が低いほど過給アシストを行うべき領域を拡大して、大気圧が低いほど過給アシストが実行されるように電動コンプレッサ１１を制御するものである。
【００４２】
図１２は、本実施形態に係る過給システムの制御ルーチンを示したフローチャートである。本制御ルーチンはＥＣＵ８のＲＯＭ等に格納されたプログラムに従って所定間隔で繰り返し実行される。本制御ルーチンをＥＣＵ８に実行させることにより、ＥＣＵ８は、アシスト領域判定手段及び電動コンプレッサ制御手段としてそれぞれ機能する。図１２に示したように、ＥＣＵ８は、まずステップＳ５において、回転数センサ２１（図１参照）の出力値を参照して機関回転数ＮＥの値を取得する。次いでステップＳ６において、燃料噴射量Ｑを推定する。燃料噴射量Ｑはアクセル開度センサ２０（図１参照）の出力値とステップＳ５において取得した機関回転数ＮＥから推定することができる。続くステップＳ７では、ＥＣＵ８は圧力センサ２３ａ（図１参照）の出力値を参照して大気圧の値を取得する。
【００４３】
次のステップＳ８では、ＥＣＵ８は、機関回転数ＮＥと燃料噴射量Ｑに関連付けて過給アシストを行うべき領域（アシスト領域）を定めたマップを参照し、ステップＳ５〜Ｓ７で取得した各値からアシスト領域への進入の有無を判定する。このマップの一例を図１３に示す。この図に示されているように、このマップは機関回転数ＮＥと燃料噴射量Ｑとを関連付けてアシスト領域と過給アシストを行わない領域（アシスト無し領域）とを定めている。線図Ａ〜Ｃはこれらアシスト領域とアシスト無し領域との境界を意味する。大気圧の高さに応じて、線図Ａ、線図Ｂ、線図Ｃの順に境界が設定されている。従って、大気圧が低いほどアシスト領域は拡大されている。
【００４４】
図１２に戻り説明を続ける。ステップＳ８でアシスト領域への進入が肯定判定されたときは、処理をステップＳ９に進め、アシスト量を算出する。一方、ステップＳ８で否定判定されたときは以後の処理をスキップして、今回のルーチンを終了する。ステップＳ９においては、図１４に示したように、エンジン１の負荷が高いほどアシスト量が減少するように補正して定めるとよい。エンジン１の負荷が高いほど失火或いは白煙が発生し難くく、少ないアシスト量で十分なためである。また、大気圧が低いほどアシスト量が増加するように補正して定めてもよい。続くステップＳ１０では、ＥＣＵ８は、ステップＳ９で算出したアシスト量に応じた過給アシストが行われるように電動コンプレッサ１１を制御して、今回のルーチンを終える。ステップＳ９における電動コンプレッサ１１及びバイパス弁１３に対する制御は、上記第１実施形態に係るステップＳ４（図５）と同様である。これにより、新気量Ｇａを補い失火或いは白煙の発生を抑制することができるので、加速レスポンスの悪化及び排気エミッションの悪化を抑えることができる。
【００４５】
なお、本実施形態において排気還流を行う場合には、以下の態様で行うことが好ましい。一般に大気圧が平地よりも低い高地においては、新気量Ｇａが不足する。このため従来はＥＧＲ量をこの不足相当量だけ減量することにより、平地と同等の新気を確保するように制御されている。しかし、この場合はＥＧＲ量の絶対量が減少するためＮＯｘの排出レベルが大幅に悪化する問題があった。本実施形態においては、上記の通り新気量Ｇａの不足を補うべく過給アシストを行うが、エンジン１の運転領域によってはそれでもなお新気量Ｇａが不足するおそれがある。
【００４６】
そこで、本実施形態において排気還流を行う場合には、図１５に示したように、上述したＥＧＲ領域（図７参照）を二つの領域I及びIIに分け、領域Iを上記過給アシストの実施により平地並の新気量Ｇａを確保可能な領域に設定するとともに、領域IIを上記過給アシストを実施しても平地並の新気量Ｇａを確保できない領域に設定する。そして、領域Iに属する場合には、ＥＧＲ量を減量することなくエンジン１の運転状態に応じたＥＧＲ率となるようにＥＧＲシステム４を制御する。一方、領域IIに属する場合には、ＥＧＲ量を減量するが、この減量割合を過給アシストによる新気量Ｇａの増量分減じるようにＥＧＲシステム４を制御する。この制御は図１６に示した制御ルーチンに従ってＥＣＵ８により行われる。
【００４７】
図１６は、本実施形態に係る制御ルーチンを示すフローチャートである。本制御ルーチンはＥＣＵ８のＲＯＭ等に格納されたプログラムに従って所定間隔で繰り返し実行される。この図に示したように、ＥＣＵ８はまず、ステップＳ１１において機関回転数ＮＥと燃料噴射量Ｑを取得する。機関回転数ＮＥは回転数センサ２１（図１参照）の出力値を参照して取得する。また、燃料噴射量Ｑはアクセル開度センサ２０（図１参照）の出力値と機関回転数ＮＥから推定すればよい。次にＥＣＵ８は、ステップＳ１２において図１５に示したマップを参照し、上記領域Iに属するか否かを判定する。領域Iに属している場合には、高地においても平地並の新気量Ｇａを確保できるので、処理をステップＳ１３に進め、ＥＧＲ量の減量を行うことなく通常のＥＧＲ制御を実施する。
【００４８】
一方、ステップＳ１２にて領域Iに属していないと否定された場合には、ＥＣＵ８はステップＳ１４において、領域II（図１５参照）に属しているか否かを判定する。領域IIに属しない場合はＥＧＲカット領域（図１５参照）に属することになるので、以後の処理をスキップして今回のルーチンを終了する。一方、領域IIに属していると肯定判定されたときは、ＥＣＵ８は処理をステップＳ１５に進め、以後の処理のベースとなるＥＧＲ量の減量割合（ベース減量割合）を算出する。この値は大気圧を考慮して推定される新気量Ｇａの不足量から算出される。次に、ＥＣＵ８は、ステップＳ１６において、過給アシストにより見込まれる新気量Ｇａの増量分に応じた補正係数を算出する。次に、ＥＣＵ８は続くステップＳ１７において、ステップＳ１５で算出したベース減量割合に補正係数を乗算した減量割合を算出する。次に、ＥＣＵ８はステップＳ１８において、ステップＳ１７で算出した減量割合に基づいて、ＥＧＲ量の減量制御を実施して今回のルーチンを終了する。これにより、過給アシストによって新気量Ｇａの不足を賄える場合には、ＥＧＲ量を減量しないのでＮＯｘの排出レベルが大幅に悪化することがない。そして、仮に過給アシストによって新気量Ｇａの不足を賄えない場合でも、ＥＧＲ量の減量を抑えることができるので、ＮＯｘの排出レベルの悪化を可能な限り抑制することができる。
【００４９】
（第４実施形態）
次に本発明の第４実施形態に係る内燃機関用過給システムについて説明する。本実施形態の適用対象となる内燃機関は上記エンジン１である。従って基本構成については図１が参照される。気筒の内壁温度が低い場合は失火又は白煙が発生し易い状況となる。そこで、本実施形態では、気筒の内壁温度の低下を考慮した過給アシストを実行する。例えば、機関冷却水の温度が低いほどアシスト量を増加するように補正する。この増量補正は、上述したアシスト量の算出処理（図５ステップＳ２、図１２ステップＳ３）を図１７に示したように変更して実施すればよい。
【００５０】
即ち、ＥＣＵ８は、まずステップＳ２１で基礎となるベースアシスト量を算出する。このベースアシスト量は上述した算出処理（図５ステップＳ２、図１２ステップＳ３）に沿って算出すればよい。そして、続くステップＳ２２にて機関冷却水温度を取得する。機関冷却水温度は水温センサ２４（図１参照）の出力値を参照すればよい。次にＥＣＵ８は、ステップＳ２３において、ステップＳ２２で取得した冷却水温度に応じたアシスト補正係数を算出する。このアシスト補正係数は、所定の計算式に基づいてその都度演算してもよいが、機関冷却水温度と関連付けて予め実験的に定めてＥＣＵ８のＲＯＭに格納しておきこの処理の際に参照してもよい。次に、ＥＣＵ８は続くステップＳ２４において、ステップＳ２３で算出したアシスト補正係数に基づいてアシスト量を算出する。このようにアシスト量を補正すれば、過給アシストの実施の際に気筒の内壁温度の低下が考慮される。従って、気筒の内壁温度が低くなるにつれ新気量Ｇａが増加して実圧縮比が増えるので、失火及び白煙の発生を抑えることができる。なお、気筒の内壁温度の場合と同様に気筒内の温度が低い場合も失火又は白煙が発生し易い状況となるので、気筒内の温度の低下を考慮した過給アシストを実行してもよい。この場合は、気筒内の温度と相関する物理量である吸気温度に基づいて上記アシスト量の増量補正を実施すればよい。この吸気温度は温度センサ２３ｂ（図１参照）の出力値を参照して取得すればよい。
【００５１】
（第５実施形態）
次に、本発明の第５実施形態に係る内燃機関用過給システムについて説明する。本実施形態の適用対象はエンジン１であるので、基本構成については図１が参照される。エンジン１の温度が低温であると、未燃ＨＣによる白煙の排出、燃費悪化、更に失火による加速レスポンスの低下するおそれがある。そこで、本実施形態は、エンジン１の温度（機関温度）に応じて過給アシストを実行する。
【００５２】
図１８は、本実施形態の概要を示した説明図である。この図に示したように、エンジン１の冷却水の温度は機関温度と相関するので、過給アシストの有無を判断する物理量としては冷却水の温度（水温）を用いている。水温が所定値Ｔよりも低い場合にはエンジン１が冷えていることになるので過給アシストが実行される。一方、それよりも高い場合にはエンジン１は暖機しているので過給アシストは実行されない。所定値Ｔは、未燃ＨＣによる白煙の排出、燃費悪化、又は失火による加速レスポンスの低下を抑制できる限界値として予め実験的に求めておけばよい。また、本実施形態では、図示の通り水温が低いほどアシスト量を増加するように補正される。これにより、機関温度が低いほどアシスト量が増加して消費電力が大きくなるので、エンジン１に設けられた図示しないオルタネータの発電量が増え、エンジン１のフリクションが増加する。この結果、燃料噴射量が増加することになるので暖機性を向上することができる。なお、本実施形態に係る制御はＥＣＵ８により所定の制御ルーチンに沿って実行される。
【００５３】
以上本発明の内燃機関用過給システムについて、第１〜第５実施形態に基づいて説明したが、本発明はこれらに限定されない。例えば、図１９に示したように、ターボ過給機１０のコンプレッサ１０ａの下流側の吸気管２に電動コンプレッサ１１を配置した構成を採用してもよい。この場合、過給システムの基本的な作用は上記と同様である。また、電動コンプレッサ１１の制御についても、上述したものをそのまま適用することができる。従って、図１と共通する構成には同一の符号を付すこととし、重複する説明は省略する。
【００５４】
また、上記実施形態においては、本発明の過給システムの適用対象としてディーゼルエンジン１としたが、内燃機関の形式は問わない。従って、本発明を火花点火式のガソリンエンジンに適用してもよいし、他のガソリンエンジンに適用してもよい。
【図面の簡単な説明】
【００５５】
【図１】第１実施形態に係る内燃機関用過給システムの全体構成を示す概略図。
【図２】機関回転数と燃料噴射量に関連付けて燃焼態様を指定したマップの一例を示した図。
【図３】ＨＣＣＩから通常燃焼への切替過渡時における、燃料噴射量、目標ＥＧＲ率、実ＥＧＲ率、新気量、及び実ＥＧＲ量の関係を示した説明図。
【図４】ＨＣＣＩから通常燃焼への切替過渡時における、燃料噴射量、目標ＥＧＲ率、実ＥＧＲ率、新気量、実ＥＧＲ量、及びＭＣアシストの関係を示した説明図。
【図５】第１実施形態に係る過給システムの制御ルーチンの概要を示したフローチャート。
【図６】ＨＣＣＩから通常燃焼への切替過渡時における、燃料噴射量、目標ＥＧＲ率、実ＥＧＲ率、新気量、実ＥＧＲ量、及びＭＣアシストの関係を示した説明図であって、アシスト量をＥＧＲ量の応答遅れに応じて可変制御した場合の説明図。
【図７】第２実施形態に係る機関回転数と燃料噴射量に関連付けてＥＧＲ領域領域及びＥＧＲカット領域を指定したマップの一例を示した図。
【図８】ＥＧＲ領域からＥＧＲカット領域への切替過渡時における、燃料噴射量、目標ＥＧＲ率、実ＥＧＲ率、新気量、及び実ＥＧＲ量の関係を示した説明図。
【図９】ＥＧＲ領域からＥＧＲカット領域への切替過渡時における、燃料噴射量、目標ＥＧＲ率、実ＥＧＲ率、新気量、実ＥＧＲ量、及びＭＣアシストの関係を示した説明図。
【図１０】第２実施形態に係る過給システムの制御ルーチンの概要を示したフローチャート。
【図１１】ＥＧＲ領域からＥＧＲカット領域への切替過渡時における、燃料噴射量、目標ＥＧＲ率、実ＥＧＲ率、新気量、実ＥＧＲ量、及びＭＣアシストの関係を示した説明図であって、アシスト量をＥＧＲ量の応答遅れに応じて可変制御した場合の説明図。。
【図１２】第３実施形態に係る過給システムの制御ルーチンを示したフローチャート。
【図１３】機関回転数と燃料噴射量に関連付けてアシスト領域を定めたマップの一例を示した図。
【図１４】アシスト領域内におけるアシスト量の大小関係を示した説明図。
【図１５】機関回転数と燃料噴射量に関連付けてＥＧＲ領域領域及びＥＧＲカット領域を指定したマップであって、第３実施形態において排気還流を行う場合に好適な一例を示した図。
【図１６】第３実施形態において排気還流を行う場合に好適な制御ルーチンを示したフローチャート。
【図１７】第４実施形態に係る過給システムの制御ルーチンを示したフローチャート。
【図１８】第５実施形態の概要を示した説明図。
【図１９】ターボ過給機のコンプレッサの下流側の排気管に電動コンプレッサを配置した過給システムの全体構成を示す概略図。
【符号の説明】
【００５６】
１  ディーゼルエンジン（内燃機関）
２  吸気管（吸気通路）
３  排気管（排気通路）
４  排気還流システム（排気還流手段）
８  ＥＣＵ
１０  ターボ過給機
１０ａ  コンプレッサ
１０ｂ  タービン
１１  電動コンプレッサ
【図１】
2005220891.tif 000003
【図２】
2005220891.tif 000004
【図３】
2005220891.tif 000005
【図４】
2005220891.tif 000006
【図５】
2005220891.tif 000007
【図６】
2005220891.tif 000008
【図７】
2005220891.tif 000009
【図８】
2005220891.tif 000010
【図９】
2005220891.tif 000011
【図１０】
2005220891.tif 000012
【図１１】
2005220891.tif 000013
【図１２】
2005220891.tif 000014
【図１３】
2005220891.tif 000015
【図１４】
2005220891.tif 000016
【図１５】
2005220891.tif 000017
【図１６】
2005220891.tif 000018
【図１７】
2005220891.tif 000019
【図１８】
2005220891.tif 000020
【図１９】
2005220891.tif 000021